(57)【要約】【課題】一般の人が正確且つ手軽に食材の状態を取得できる携帯端末を提供することを目的とする。【解決手段】本発明に係る携帯端末３０１は、食材を撮影した画像データを解析して前記食材の種類を特定する食材判定機能７１と、食材判定機能７１が前記食材の種類を特定した後に前記食材の状態を非破壊で測定する食材状態測定機能７２と、食材判定機能７１が判定した前記食材の種類、及び食材状態測定機能７２が測定した前記食材の状態を表示する表示機能７３と、を備える。【選択図】図１
2011048591.tif 000002
【特許請求の範囲】
【請求項１】
食材を撮影した画像データを解析して前記食材の種類を特定する食材判定機能と、
前記食材判定機能が前記食材の種類を特定した後に前記食材の状態を光センサで測定する食材状態測定機能と、
前記食材判定機能が判定した前記食材の種類、及び前記食材状態測定機能が測定した前記食材の状態を表示する表示機能と、
を備える携帯端末。
【請求項２】
前記食材状態測定機能は、前記食材の状態として前記食材の糖度及び熟度を測定することを特徴とする請求項１に記載の携帯端末。
【請求項３】
前記食材状態測定機能は、前記食材の状態として前記食材の鮮度を測定することを特徴とする請求項１又は２に記載の携帯端末。
【請求項４】
前記表示機能は、前記食材と前記食材状態測定機能が測定した前記食材の状態との関係から判定した前記食材を食する頃合の情報を付加して表示することを特徴とする請求項１から３のいずれかに記載の携帯端末。
【請求項５】
前記食材の価格情報を取得する価格情報取得機能と、
前記食材判定機能が前記食材を撮影した現在位置を特定する位置情報取得機能と、
前記食材判定機能が特定した前記食材の種類の情報、前記食材状態測定機能が測定した前記食材の状態の情報、前記価格情報取得機能が取得した前記食材の価格情報、及び前記位置情報取得機能が特定した前記現在位置の情報を含む食材データをネットワークに送出するデータ送信機能と、
をさらに備えることを特徴とする請求項１から４のいずれかに記載の携帯端末。
【請求項６】
前記現在位置の情報に基づいて検索された周辺の店における、前記食材の状態の前記食材の価格の周辺価格情報を前記ネットワークから受信するデータ受信機能をさらに備えることを特徴とする請求項５に記載の携帯端末。
【請求項７】
前記表示機能は、前記データ受信機能が受信した周辺価格情報も併せて表示することを特徴とする請求項６に記載の携帯端末。
【請求項８】
前記表示機能は、前記価格情報取得機能が取得した前記食材の価格情報及び前記データ受信機能が受信した周辺価格情報に基づくコメントをさらに表示することを特徴とする請求項７に記載の携帯端末。
【請求項９】
前記食材判定機能は、前記食材に付随する付随情報をさらに取得し、
前記データ送信機能は、前記食材データに前記付随情報を含めて送出し、
前記データ受信機能が受信した周辺価格情報は、前記付随情報に合致した前記食材のみの価格に限定されており、
前記表示機能は、前記付随情報も表示することを特徴とする請求項７又は８に記載の携帯端末。
【請求項１０】
請求項６から９のいずれかに記載の携帯端末と、
食材の価格を店、種類、及び状態毎にまとめた保管データを保管しており、前記携帯端末からの前記食材データを前記ネットワークから受信し、前記食材データと前記保管データを照らし合わせ、前記現在位置の情報に基づいて検索された周辺の店における、前記食材の状態に合致した前記食材の価格の周辺価格情報を作成して前記ネットワークを介して前記携帯端末に送出する食材価格情報サーバと、
を備える食材情報提供システム。
【請求項１１】
前記食材価格情報サーバは、  
前記保管データの前記食材の価格を、さらに食材に付随する付随情報でもまとめており、
前記食材データが前記付随情報も含んでいる場合に、前記付随情報にも合致した前記食材の価格に限定した前記周辺価格情報を作成することを特徴とする請求項１０に記載の食材情報提供システム。
【請求項１２】
携帯端末において、
食材を撮影した画像データを解析して前記食材の種類を特定する食材判定手順と、
前記食材判定手順で前記食材の種類を特定した後に前記食材の状態を光センサで測定する食材状態測定手順と、
前記食材判定手順で判定した前記食材の種類、及び前記食材状態測定手順で測定した前記食材の状態を表示する表示手順と、
を行う食材情報提供方法。
【請求項１３】
前記食材状態測定手順は、前記食材の状態として前記食材の糖度及び熟度を測定することを特徴とする請求項１２に記載の食材情報提供方法。
【請求項１４】
前記食材状態測定手順は、前記食材の状態として前記食材の鮮度を測定することを特徴とする請求項１２又は１３に記載の食材情報提供方法。
【請求項１５】
前記表示手順は、前記食材と前記食材状態測定手順で測定した前記食材の状態との関係から判定した前記食材を食する頃合の情報を付加して表示することを特徴とする請求項１２から１４のいずれかに記載の食材情報提供方法。
【請求項１６】
前記食材状態測定手順の後に、
前記食材の価格情報を取得する価格情報取得手順と、
前記食材判定手順で前記食材を撮影した現在位置を特定する位置情報取得手順と、
前記食材判定手順で特定した前記食材の種類の情報、前記食材状態測定手順で測定した前記食材の状態の情報、前記価格情報取得手順で取得した前記食材の価格情報、及び前記位置情報取得手順で特定した前記食材を撮影した位置の情報を含む食材データをネットワークに送出するデータ送信手順と、
をさらに行う請求項１２から１５のいずれかに記載の食材情報提供方法。
【請求項１７】
前記データ送信手順の後に、
前記位置情報取得手順で特定した前記食材を撮影した位置に基づいて検索された周辺の店における、前記食材状態測定手順で測定した前記食材の状態の前記食材の価格の周辺価格情報を前記ネットワークから受信するデータ受信手順をさらに行う請求項１６に記載の食材情報提供方法。
【請求項１８】
前記表示手順は、前記データ受信手順が受信した周辺価格情報も併せて表示することを特徴とする請求項１７に記載の食材情報提供方法。
【請求項１９】
前記表示手順は、前記価格情報取得手順で取得した前記食材の価格情報及び前記データ受信手順で受信した周辺価格情報に基づくコメントをさらに表示することを特徴とする請求項１８に記載の食材情報提供方法。
【請求項２０】
前記食材判定手順は、前記食材に付随する付随情報をさらに取得し、
前記データ送信手順は、前記食材データに前記付随情報を含めて送出し、
前記データ受信手順で受信した周辺価格情報は、前記付随情報に合致した前記食材のみの価格に限定されており、
前記表示手順は、前記付随情報も表示することを特徴とする請求項１８又は１９に記載の食材情報提供方法。
【請求項２１】
前記データ送信手順と前記データ受信手順との間で、
食材の価格を店、種類、及び状態毎にまとめた保管データを保管しており、
前記データ送信手順で送出された前記食材データを前記ネットワークから受信し、前記食材データと前記保管データを照らし合わせ、前記現在位置の情報に基づいて検索された周辺の店における、前記食材の状態に合致した前記食材の価格の周辺価格情報を作成して前記ネットワークに送出する情報抽出手順を行うことを特徴とする請求項１７から２０のいずれかに記載される食材情報提供方法。
【請求項２２】
前記情報抽出手順において、
前記保管データの前記食材の価格がさらに食材に付随する付随情報でもまとめられており、
前記食材データが前記付随情報も含んでいる場合に、前記付随情報にも合致した前記食材の価格に限定した前記周辺価格情報を作成することを特徴とする請求項２１に記載の食材情報提供方法。
【請求項２３】
食材を撮影した画像データを解析して前記食材の種類を特定する食材判定機能と、
前記食材判定機能が前記食材の種類を特定した後に前記食材の状態を光センサで測定する食材状態測定機能と、
前記食材判定機能が判定した前記食材の種類、及び前記食材状態測定機能が測定した前記食材の状態を表示する表示機能と、
を携帯端末に実現させるための食材情報提供プログラム。
【請求項２４】
前記食材状態測定機能は、携帯端末に、前記食材の状態として前記食材の糖度及び熟度を測定させることを特徴とする請求項２３に記載の食材情報提供プログラム。
【請求項２５】
前記食材状態測定機能は、携帯端末に、前記食材の状態として前記食材の鮮度を測定させることを特徴とする請求項２３又は２４に記載の食材情報提供プログラム。
【請求項２６】
前記表示機能は、携帯端末に、前記食材と前記食材状態測定機能が測定した前記食材の状態との関係から判定した前記食材を食する頃合の情報を付加して表示させることを特徴とする請求項２３から２５のいずれかに記載の食材情報提供プログラム。
【請求項２７】
前記食材の価格情報を取得する価格情報取得機能と、
前記食材判定機能が前記食材を撮影した現在位置を特定する位置情報取得機能と、
前記食材判定機能が特定した前記食材の種類の情報、前記食材状態測定機能が測定した前記食材の状態の情報、前記価格情報取得機能が取得した前記食材の価格情報、及び前記位置情報取得機能が特定した前記現在位置の情報を含む食材データをネットワークに送出するデータ送信機能と、
をさらに携帯端末に実現させることを特徴とする請求項２３から２６のいずれかに記載の食材情報提供プログラム。
【請求項２８】
前記現在位置の情報に基づいて検索された周辺の店における、前記食材の状態の前記食材の価格の周辺価格情報を前記ネットワークから受信するデータ受信機能をさらに携帯端末に実現させることを特徴とする請求項２７に記載の食材情報提供プログラム。
【請求項２９】
前記表示機能は、携帯端末に、前記データ受信機能が受信した周辺価格情報も併せて表示させることを特徴とする請求項２８に記載の食材情報提供プログラム。
【請求項３０】
前記表示機能は、携帯端末に、前記価格情報取得機能が取得した前記食材の価格情報及び前記データ受信機能が受信した周辺価格情報に基づくコメントをさらに表示させることを特徴とする請求項２９に記載の食材情報提供プログラム。
【請求項３１】
前記食材判定機能は、携帯端末に、前記食材に付随する付随情報をさらに取得させ、
前記データ送信機能は、携帯端末に、前記食材データに前記付随情報を含めて送出させ、
前記表示機能は、前記データ受信機能が受信した周辺価格情報が前記付随情報に合致した前記食材のみの価格に限定されている場合に、携帯端末に、前記付随情報も表示させることを特徴とする請求項２９又は３０に記載の食材情報提供プログラム。
【発明の詳細な説明】
【技術分野】
【０００１】
本発明は、食材の種類を特定し、食材の状態を非破壊で測定した結果を表示する携帯端末に関する。
【背景技術】
【０００２】
甘みは果物のおいしさを構成する重要な要素の一つであり、果物のおいしさを客観的に評価する方法として、糖度の測定が行われている。近年、光センサによる近赤外分光法で、果実を破壊することなくそのままの状態で測定できる非破壊分析法が開発されている。赤外線の中で可視光線に近い部分を近赤外線を果実に当てると、成分の種類や量に応じて特定の波長の光を吸収する。非破壊分析法は、果実に含まれる糖分の含有量が多いほど特定の波長の吸収量が多くなり、少なければ吸収量が少なくなる性質を利用して、特定の波長の吸収量を調べて果実の糖分を判定している。このような非破壊分析法を利用した糖度測定装置の例が特許文献１及び２に記載されている。
【０００３】
また、水産物についても同様に流通現場などで光センサを用いて、脂肪含有や鮮度を評価できる測定方法の一例が特許文献３に記載されている。特許文献３のシステムは、ナレッジ情報記憶手段と、判断手段と、買付判断手段と、を備えている。特許文献３のシステムは、次のように動作する。
【０００４】
ナレッジ情報記憶手段は、前記生鮮商品の映像情報からその生鮮商品自体の良否を判定する際の判定基準となる判定基準情報を含む生鮮商品買付判断に必要なナレッジ情報を記憶する。判断手段は、前記生鮮商品の買付に必要な情報と前記ナレッジ記憶手段に記憶されたナレッジ情報とを比較して前記生鮮商品を評価する。買付判断手段は、その評価結果に基づいて当該生鮮商品の買付判断を行う。
【０００５】
一方、食材を店舗等で購入するにあたり、その食材の新鮮度等の食材に関する情報を店頭において知ることができるようにするシステムの一例が特許文献４に記載されている。特許文献４のシステムは、携帯電話装置と、サーバ装置と、ネットワークと、から構成されている。特許文献４のシステムは、次のように動作する。
【０００６】
店頭において対象となる食材を携帯電話装置の撮像手段で撮像して、撮像した画像データを端末装置からサーバ装置にネットワークを介して送る。サーバ装置は、画像データ中の撮像された食材の種別を解析し、解析された種別に対応する食材に関する提供情報をデータベースから取り出す。提供情報をサーバ装置から携帯電話装置に送り、食材の鮮度情報等の提供情報を表示する。
【先行技術文献】
【特許文献】
【０００７】
【特許文献１】特開２００４−３１７３８１号公報
【特許文献２】特開平０９−０８９７６７号公報
【特許文献３】特開２００２−２９７９６６号公報
【特許文献４】特開２００６−１２０１０６号公報
【発明の概要】
【発明が解決しようとする課題】
【０００８】
上述した関連する技術には、以下のような問題点があった。農協等の選果場では既に引用文献１及び２の非破壊分析法が導入され、糖度、熟度を測定し選別されて出荷されている。しかし果物が実際に出荷された後、販売店の店頭に並ぶまでは数日の時間が経過することも多く、さらにその果物の糖度・熟度の表示が店頭に表示されることも少ない。そのため、消費者は、その果物の食べごろがいつか、賞味期限がいつかという食材の情報を正確且つ手軽に取得できないという問題点があった。同様に、引用文献３のシステムが導入されていても、スーパー等の店頭で並べられた魚や肉についても賞味期限の表示のみで、消費者は、その魚や肉の鮮度という食材の情報を正確且つ手軽に取得できないという問題点があった。
【０００９】
一方、引用文献４のシステムは、撮影した画像とサーバの保存されている対比用の画像とを比較して鮮度等の判断をしているため、撮影した画像によっては正確に鮮度を判断することができないという問題点があった。
【００１０】
これらの問題点の理由は、一般の人は正確且つ手軽に食材の状態を取得できる手段がないからである。そこで、本発明の目的は、一般の人は正確且つ手軽に食材の状態を取得できる手段がないという課題を解決する携帯端末を提供することにある。
【課題を解決するための手段】
【００１１】
上記目的を達成するために、本発明に係る携帯端末は、食材を撮影した画像データを解析して前記食材の種類を特定する食材判定機能と、前記食材判定機能が前記食材の種類を特定した後に前記食材の状態を光センサで測定する食材状態測定機能と、前記食材判定機能が判定した前記食材の種類、及び前記食材状態測定機能が測定した前記食材の状態を表示する表示機能と、を備える。
【００１２】
上記目的を達成するために、本発明に係る食材情報提供システムは、前記携帯端末と、食材の価格を店、種類、及び状態毎にまとめた保管データを保管しており、前記携帯端末からの前記食材データを前記ネットワークから受信し、前記食材データと前記保管データを照らし合わせ、前記現在位置の情報に基づいて検索された周辺の店における、前記食材の状態に合致した前記食材の価格の周辺価格情報を作成して前記ネットワークを介して前記携帯端末に送出する食材価格情報サーバと、を備える。
【００１３】
上記目的を達成するために、本発明に係る食材情報提供方法は、前記携帯端末において、食材を撮影した画像データを解析して前記食材の種類を特定する食材判定手順と、前記食材判定手順で前記食材の種類を特定した後に前記食材の状態を光センサで測定する食材状態測定手順と、前記食材判定手順で判定した前記食材の種類、及び前記食材状態測定手順で測定した前記食材の状態を表示する表示手順と、を行う。
【００１４】
上記目的を達成するために、本発明に係る食材情報提供プログラムは、食材を撮影した画像データを解析して前記食材の種類を特定する食材判定機能と、前記食材判定機能が前記食材の種類を特定した後に前記食材の状態を光センサで測定する食材状態測定機能と、前記食材判定機能が判定した前記食材の種類、及び前記食材状態測定機能が測定した前記食材の状態を表示する表示機能と、を前記携帯端末に実現させる。
【発明の効果】
【００１５】
本発明によれば、一般の人が正確且つ手軽に食材の状態を取得できる携帯端末を提供することができる。
【図面の簡単な説明】
【００１６】
【図１】本発明に係る携帯端末を説明するブロック図である。
【図２】本発明に係る携帯端末を説明するブロック図である。
【図３】本発明に係る食材情報提供方法を説明するフローチャートである。
【図４】糖度・熟度の測定結果の表示例である。
【図５】本発明に係る携帯端末を説明するブロック図である。
【図６】本発明に係る食材情報提供方法を説明するフローチャートである。
【図７】周辺価格情報の表示例である。
【図８】本発明に係る食材情報提供システムを説明する概念図である。
【図９】本発明に係る携帯端末を説明するブロック図である。
【図１０】本発明に係る食材情報提供方法を説明するフローチャートである。
【図１１】鮮度の測定結果の表示例である。
【図１２】本発明に係る食材情報提供方法を説明するフローチャートである。
【図１３】周辺価格情報の表示例である。
【発明を実施するための形態】
【００１７】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１８】
（実施形態１）
図１は、本実施形態の携帯端末３０１を説明するブロック図である。携帯端末３０１は、食材を撮影した画像データを解析して前記食材の種類を特定する食材判定機能７１と、食材判定機能７１が前記食材の種類を特定した後に前記食材の状態を光センサで測定する食材状態測定機能７２と、食材判定機能７１が判定した前記食材の種類、及び前記食材状態測定機能７２が測定した前記食材の状態を表示する表示機能７３と、を備える。ここで、携帯端末とは、携帯電話装置、ノート型の小型コンピュータ、又はＰＨＳ（Ｐｅｒｓｏｎａｌ  Ｈａｎｄｙｐｈｏｎｅ  Ｓｙｓｔｅｍ）である。食材判定機能７１は食材の種類を特定できたことを食材状態測定機能７２に通知する。また、食材判定機能７１は特定できた食材の種類を表示機能７３に通知する。食材判定機能７１は測定した食材の状態を表示機能７３に通知する。表示機能７３は、食材の種類及び食材の状態を表示する。
【００１９】
携帯端末３０１は、食材を撮影した画像データを解析して前記食材の種類を特定する食材判定機能７１と、食材判定機能７１が前記食材の種類を特定した後に前記食材の状態を光センサで測定する食材状態測定機能７２と、食材判定機能７１が判定した前記食材の種類、及び食材状態測定機能７２が測定した前記食材の状態を表示する表示機能７３と、を携帯端末に実現させるための食材情報提供プログラムを搭載している。携帯端末３０１は、この食材情報提供プログラムを実行することで、食材を撮影した画像データを解析して前記食材の種類を特定する食材判定手順を食材判定機能７１で実施し、前記食材判定手順で前記食材の種類を特定した後に前記食材の状態を光センサで測定する食材状態測定手順を食材状態測定機能７２で実施し、前記食材判定手順で判定した前記食材の種類、及び前記食材状態測定手順で測定した前記食材の状態を表示する表示手順を表示機能７３で実施する。
【００２０】
例えば、食材状態測定機能７２は、前記食材の状態として前記食材の糖度及び熟度を測定する。図２は、食材状態測定機能７２が食材の糖度及び熟度を測定する場合の携帯端末３０２を説明するブロック図である。携帯端末３０２は、無線部１、表示部３、操作部４、メモリ部５、スピーカ部７、ＧＰＳ部８、カメラ部９、光センサ部１１、画像認識部１２、制御部６、アンテナ２を備える。
【００２１】
無線部１は、携帯電話の基地局より送信される情報を受信する。光センサ部１１は、食材の糖度・熟度を測定する。画像認識部１２は、食材の種類を特定する。値札認識部１３は、店頭先の食材の値札に記載の価格情報および個数を読み取る。制御部６は、値札認識部１３、無線部１と表示部３と操作部４とメモリ部５とスピーカ部７とＧＰＳ部８とカメラ部９と光センサ部１１と画像認識部１２と値札認識部１３を制御する。ここで、食材とは、果物や野菜である。以下では食材が果物であるとして説明するが、果物以外の食材でも同様である。
【００２２】
携帯端末３０２は、カメラ部９、メモリ部５、制御部６、及び画像認識部１２が食材判定機能７１を担う。携帯端末３０２は、光センサ部１１、メモリ部５、及び制御部６が食材状態測定機能７２を担う。携帯端末３０２は、表示部３及び制御部６が表示機能７３を担う。
【００２３】
携帯端末３０２は、メモリ部５に食材情報提供プログラムを記憶しており、制御部６がこれを読み出すことで食材判定手順、食材状態測定手順、及び表示手順の食材情報提供方法を実施する。図３は、食材情報提供方法を説明するフローチャートである。ここで、ステップ１０２が食材判定手順、ステップ１０３が食材状態測定手順、及びステップ１０４が表示手順に相当する。
【００２４】
まず、携帯端末３０２の所有者が糖度・熟度の測定を開始するように操作部４を操作することで、制御部６はカメラ部９と光センサ部１１をＯＮとする（ステップ１０１）。制御部６は、カメラ部９で撮影した果物の種類を画像認識部１２で特定できたかどうかを判定する（ステップ１０２）。具体的には、メモリ部５は果物の種類の画像を記憶しており、制御部６は、カメラ部９で撮影した果物の画像とメモリ部５が記憶する画像を画像認識部１２に送る。画像認識部１２は、メモリ部５が記憶する画像の中から撮影した果物の画像に最も類似する画像を選択し、選択した画像の果物の種類を制御部６に送る。
【００２５】
果物の種類を特定できた場合、光センサ部１１は、果物の糖度・熟度を測定する（ステップ１０３）。具体的には、制御部６は、光センサ部１１に対して近赤外線を出射するように指示を出す。光センサ部１１は、果物で反射してた反射光を受光し、果物で吸収された光の波長と吸収量を算出して果物に含まれる糖分の比率（糖度）を計算する。光センサ部１１は、制御部６に計算した糖度を送信する。ここで、メモリ部５が果物の糖度と果物の熟度との関係を記憶しており、制御部６はメモリ部５に問合せを行い、送信された糖度に合致する熟度を受け取る。
【００２６】
制御部６は、画像認識部１２が判断した果物の種類と光センサ部１１からの糖度及び熟度を表示部３に表示させ、スピーカ部７に測定完了の鳴動を行わせる（ステップ１０４）。このとき、表示部３は、果物と糖度及び熟度との関係から判定した果物を食する頃合の情報を付加して表示してもよい。メモリ部５が、果物と糖度及び熟度との関係及び果物を食する頃合の情報を記憶している。
【００２７】
図４は糖度・熟度の測定結果の表示例である。表示部３は、果物の種類として「みかん（でこぽん）」、糖度「１４度」、熟度「３」を表示する。ここで、表示部３は、糖度と果物の種類との関係から甘さレベルを段階で示してもよい。例えば、表示部３は、糖度が１４であるが果物の種類が「みかん」であるので、甘さレベルは３であることを表示している。また、表示部３は、果物の熟度が３であるのでコメントとして「早めにお召し上がりください」を表示している。
【００２８】
図５は、携帯端末３０３を説明するブロック図である。携帯端末３０３は、携帯端末３０１に前記食材の価格情報を取得する価格情報取得機能７４と、食材判定機能７１が前記食材を撮影した現在位置を特定する位置情報取得機能７５と、食材判定機能７１が特定した前記食材の種類の情報、食材状態測定機能７２が測定した前記食材の状態の情報、価格情報取得機能７４が取得した前記食材の価格情報、及び位置情報取得機能７５が特定した前記現在位置の情報を含む食材データをネットワーク９９に送出するデータ送信機能７６と、をさらに備えた携帯端末である。食材判定機能７１は食材の種類を特定できたことを価格情報取得機能７４と位置情報取得機能７５に通知する。価格情報取得機能７４は取得した価格情報をデータ送信機能７６に送出する。位置情報取得機能７５は現在位置の情報をデータ送信機能７６に送出する。また、食材判定機能７１は特定できた食材の種類を表示機能７３の他にデータ送信機能７６に通知する。データ送信機能７６はこれらを含む食材データをネットワーク９９に送出する。
【００２９】
携帯端末３０３は、携帯端末３０１が搭載する食材情報提供プログラムに前記食材の価格情報を取得する価格情報取得機能７４と、食材判定機能７１が前記食材を撮影した現在位置を特定する位置情報取得機能７５と、食材判定機能７１が特定した前記食材の種類の情報、食材状態測定機能７２が測定した前記食材の状態の情報、価格情報取得機能７４が取得した前記食材の価格情報、及び位置情報取得機能７５が特定した前記現在位置の情報を含む食材データをネットワークに送出するデータ送信機能７６と、をさらに備えた食材情報提供プログラムを搭載する。
【００３０】
携帯端末３０３は、この食材情報提供プログラムを実行することで、携帯端末３０１で説明した前記食材状態測定手順の後に、前記食材の価格情報を取得する価格情報取得手順を価格情報取得機能７４で実施し、前記食材判定手順で前記食材を撮影した位置を特定する位置情報取得手順を位置情報取得機能７５で実施し、前記食材判定手順で特定した前記食材の種類の情報、前記食材状態測定手順で測定した前記食材の状態の情報、前記価格情報取得手順で取得した前記食材の価格情報、及び前記位置情報取得手順で特定した前記食材を撮影した位置の情報を含む食材データをネットワーク９９に送出するデータ送信手順をデータ送信機能７６で実施する。
【００３１】
携帯端末３０３は、前記現在位置の情報に基づいて検索された周辺の店における、前記食材の状態の前記食材の価格の周辺価格情報をネットワーク９９から受信するデータ受信機能７７をさらに備える。データ受信機能７７はネットワーク９９から周辺価格情報を受信し、表示機能７３へ送出する。
【００３２】
携帯端末３０３の食材情報提供プログラムは、前記現在位置の情報に基づいて検索された周辺の店における、前記食材の状態の前記食材の価格の周辺価格情報を前記ネットワークから受信するデータ受信機能をさらに備えている。
【００３３】
携帯端末３０３は、この食材情報提供プログラムを実行することで、前記データ送信手順の後に、前記位置情報取得手順で特定した前記食材を撮影した位置に基づいて検索された周辺の店における、前記食材状態測定手順で測定した前記食材の状態の前記食材の価格の周辺価格情報をネットワーク９９から受信するデータ受信手順をデータ受信機能７７で実施する。
【００３４】
例えば、図２の携帯端末３０２は、制御部６が食材情報提供プログラムを読み出すことで価格情報取得手順、位置情報取得手順、データ送信手順、及びデータ受信手順をさらに実施する。図６は、食材情報提供方法を説明するフローチャートである。図６のフローチャートは、図３のフローチャートにステップ１０５からステップ１１０が追加されたものである。ここで、ステップ１０７が位置情報取得手順、ステップ１０８が価格情報取得手順、及びステップ１０９がデータ送信手順、ステップ１１０がデータ受信手順に相当する。
【００３５】
ステップ１０４の後、価格情報を取得するかどうかを判定する（ステップ１０５）。制御部６がこの判定を行ってもよいし、携帯電話の所有者がこの判定を行ってもよい。ここで、価格情報を取得しない場合は、制御部６は、カメラ部９とセンサ部１１をＯＦＦして処理が終了する（ステップ１０６）。価格情報を取得する場合は、位置情報を測定する（ステップ１０７）。具体的には、制御部６はＧＰＳ部８に現在位置を測定させる。続いて、制御部６は、カメラ部９で撮影した値札情報を画像認識部１２に認識させる（ステップ１０８）。このとき、画像認識部１２は、値札情報とともに果物に付随する付随情報も取得してもよい。付随情報とは、果物の数、サイズ、重さ、産地などである。値札情報を認識した場合、制御部６は無線部１及びアンテナ２を介してネットワーク９９に食材データを送出する（ステップ１０９）。
【００３６】
ネットワーク９９には、後述する食材価格情報サーバが接続されている。食材価格情報サーバは、ネットワーク９９から食材データを取得したときに周辺価格情報を返信する。この周辺価格情報には、カメラ部９で取り込んだ果物について現在位置の周辺にある他の店での価格が含まれている。食材データに付随情報が含まれる場合、食材価格情報サーバは、同数、同サイズ、同じ重さ、同産地の果物についての価格の周辺価格情報を返信する。
【００３７】
表示機能７３は、データ受信機能７７が受信した周辺価格情報も併せて表示する（ステップ１１０）。具体的には、制御部６は無線部１及びアンテナ２を介してネットワーク９９から周辺価格情報を受信する。制御部６は、果物の種類、糖度及び熟度とともに、周辺価格情報を表示部３に表示させる（ステップ１１０）。このとき、表示部３は、周辺価格情報に基づくコメントをさらに表示してもよい。
【００３８】
図７は周辺価格情報の表示例である。表示部３は、果物名、糖度・熟度の他に現在位置の店頭価格、現在位置の店の名前、付随情報（サイズ、産地）、周辺価格情報を表示している。図７では、表示部３は、周辺価格情報として周囲の店での平均価格を表示しているが、周囲の店毎の価格を表示してもよい。さらに、表示部３は、コメントとして周辺の店との差額を表示している。なお、表示部３は、現在位置の住所をＧＰＳ部８から取得したものを表示し、店の名前は後述する店舗情報サーバからの情報を表示することができる。また、表示部３が表示するコメントは後述する食材価格情報サーバ５０１からの周辺価格情報に含まれているものを表示することができる。
【００３９】
次に、本携帯端末を含む食材情報提供システムについて説明する。図８は、食材情報提供システム４０１を説明する概念図である。食材情報提供システム４０１は、携帯端末（３０２、３０３）と、食材価格情報サーバ５０１と、を備える。また、食材価格情報サーバ５０１は、店舗情報サーバ５０２とともに価格情報データ管理センター５１０に含まれている。ネットワーク９９は、携帯端末（３０２、３０３）と食材価格情報サーバ５０１及び店舗情報サーバ５０２とを接続する。
【００４０】
食材価格情報サーバ５０１は、食材の価格を店、種類、及び状態毎にまとめた保管データを保管しており、携帯端末（３０２、３０３）からの前記食材データをネットワーク９９から受信し、前記食材データと前記保管データを照らし合わせ、前記現在位置の情報に基づいて検索された周辺の店における、前記食材の状態に合致した前記食材の価格の周辺価格情報を作成してネットワーク９９を介して携帯端末（３０２、３０３）に送出する。食材価格情報サーバ５０１の保管データは、果物の価格を店舗名、果物の種類、果物の糖度及び熟度に分類されている。また、保管データは、果物に付随する付随情報でさらに分類されていてもよい。例えば、食材価格情報サーバ５０１は、携帯端末（３０２、３０３）からの食材データを蓄積して保管データとしてもよい。
【００４１】
店舗情報サーバ５０２は、店舗名とその住所を記憶する。店舗情報サーバ５０２は、携帯端末（３０２、３０３）からの食材データを受信したときに、食材データのうち、現在位置の情報を使って携帯端末（３０２、３０３）の所有者が現在いる店舗の名前及びその周辺にある店舗の名前を検索する。次いで、店舗情報サーバ５０２は、所有者が現在いる店舗の名前及びその周辺にある店舗の名前を食材価格情報サーバ５０１に送信し、所有者が現在いる店舗の名前を携帯端末（３０２、３０３）に送信する。携帯端末（３０２、３０３）は、この店舗名を表示部３で表示できる。
【００４２】
食材価格情報サーバ５０１は、店舗情報サーバ５０２から通知された周辺の店舗名、並びに携帯端末（３０２、３０３）から受信した食材データに含まれる果物の糖度、熟度、及び付随情報に基づいて、保管データの中から周辺の店舗での対象果物の価格を検索する。そして、食材価格情報サーバ５０１は、食材データに含まれる価格情報と検索した周辺の店舗での価格とを比較し、当該果物がお買い得商品かどうかを判定し、判定した結果をコメントとして携帯端末（３０２、３０３）に返送する。携帯端末（３０２、３０３）は、このコメントを表示部３で表示できる。
【００４３】
以上の説明のように、携帯端末（３０１〜３０３）は、果物の糖度・熟度を測定できる光センサを搭載しており、携帯端末の所有者が店頭先の果物に携帯をかざすと、果物の種類を認識すると同時に糖度・熟度の計測を開始し、測定した糖度・熟度から果物の種類に対応したおいしさの度合いを携帯端末の所有者に通知することができる。このように、携帯端末（３０１〜３０３）は、正確且つ手軽に食材の状態をに通知することができる。
【００４４】
さらに、携帯端末（３０２、３０３）は、測定した果物の糖度及び熟度と果物の価格を含む食材データを食材価格情報サーバ５０１及び店舗情報サーバ５０２に送信することで、店頭先の果物の価格がお買い得な商品かどうかを判定結果を携帯端末の所有者に通知することができる。
【００４５】
（実施形態２）
本実施形態の食材状態測定機能７２は、前記食材の状態として前記食材の鮮度を光及び臭気を用いて測定する。図９は、食材状態測定機能７２が食材の鮮度を測定する場合の携帯端末３０４を説明するブロック図である。携帯端末３０４は、図２の携帯端末３０２にさらに臭い測定部３４を備えている。
【００４６】
臭い測定部３４は、魚や肉の臭いを測定する。制御部６は、さらに臭い測定部３４も制御する。ここで、食材とは、魚や肉である。以下では食材が魚であるとして説明するが、魚以外の食材でも同様である。臭い測定部３４は、臭いから食材の種類を判定するとともに食材の鮮度も判定してもよい。
【００４７】
携帯端末３０４は、メモリ部５に食材情報提供プログラムを記憶しており、制御部６がこれを読み出すことで食材判定手順、食材状態測定手順、及び表示手順の食材情報提供方法を実施する。図１０は、食材情報提供方法を説明するフローチャートである。ここで、ステップ２０２が食材判定手順、ステップ２０３が食材状態測定手順、及びステップ２０４が表示手順に相当する。
【００４８】
まず、携帯端末３０４の所有者が鮮度の測定を開始するように操作部４を操作することで、制御部６はカメラ部９、光センサ部１１及び臭い測定部３４をＯＮとする（ステップ２０１）。制御部６は、カメラ部９で撮影した魚の種類を画像認識部１２で特定できたかどうかを判定する（ステップ２０２）。魚の種類の特定方法は、図３のステップ１０２の説明と同様である。
【００４９】
魚の種類を特定できた場合、光センサ部１１は、魚の鮮度を測定する（ステップ２０３）。具体的には、制御部６は、光センサ部１１に対して近赤外線を出射するように指示を出す。光センサ部１１は、魚で反射してきた反射光を受光し、反射光から魚の鮮度を判定する。
【００５０】
また、光センサ部１１は、魚の脂肪含有率を測定してもよい。具体的には、制御部６は、光センサ部１１に対して近赤外線を出射するように指示を出す。光センサ部１１は、魚で反射してきた反射光を受光し、魚で吸収された光の波長と吸収量を算出して魚に含まれる脂肪分の比率（脂肪含有率）を計算する。光センサ部１１は、制御部６に計算した脂肪含有率を送信する。
【００５１】
制御部６は、画像認識部１２が判断した魚の種類、臭い測定部３４が測定した臭気に基づく鮮度、及び光センサ部１１からの脂肪含有率を表示部３に表示させ、スピーカ部７に測定完了の鳴動を行わせる（ステップ２０４）。このとき、表示部３は、魚と鮮度との関係から判定した魚を食する頃合の情報を付加して表示してもよい。メモリ部５が、魚と鮮度との関係及び魚を食する頃合の情報を記憶している。また、表示部３は、魚と脂肪含有率との関係から魚についてのコメントを付加して表示してもよい。メモリ部５が、魚と脂肪含有率との関係及び魚についてのコメントを記憶している。
【００５２】
図１１は鮮度及び脂肪含有率の測定結果の表示例である。表示部３は、魚の種類として「マサバ」、鮮度「優」、脂肪含有率「２８％」を表示する。ここで、表示部３は、鮮度と魚の種類との関係から鮮度を優、良、並、不良の段階で示してもよい。また、表示部３は、魚の鮮度が優であるので魚を食する頃合の情報として「２〜３日以内にお召し上がりください」を表示している。さらに、表示部３は、魚の脂肪含有率が２８％であるので、コメントとして「程よく脂も抜けて、身もしまり風味が良い」を表示している。
【００５３】
携帯端末３０４は、図５の携帯端末３０３と同様に、価格情報取得機能７４と、位置情報取得機能７５と、食材データをネットワーク９９に送出するデータ送信機能７６と、をさらに備えてもよい。また、携帯端末３０４は、周辺価格情報をネットワーク９９から受信するデータ受信機能７７をさらに備える。
【００５４】
携帯端末３０４がネットワーク９９に送出する食材データは、位置情報取得機能７５で測定した現在位置の情報、食材判定機能７１で判定した魚の種類、食材情報測定機能７２で測定した魚の鮮度と脂肪含有率、及び価格情報取得機能７４で取得した魚の価格を含む。
【００５５】
例えば、図９の携帯端末３０４は、図２の携帯端末３０２と同様に制御部６が食材情報提供プログラムを読み出すことで価格情報取得手順、位置情報取得手順、データ送信手順、及びデータ受信手順をさらに実施する。図１２は、食材情報提供方法を説明するフローチャートである。図１２のフローチャートは、図１０のフローチャートにステップ２０５からステップ２１０が追加されたものである。ここで、ステップ２０７が位置情報取得手順、ステップ２０８が価格情報取得手順、及びステップ２０９がデータ送信手順、ステップ２１０がデータ受信手順に相当する。
【００５６】
図１２のフローチャートの各ステップ（２０１〜２１０）は、それぞれ図６のフローチャートの各ステップ（１０１〜１１０）と同様である。ここでは、図１２の各ステップの中で図６のフローチャートのステップと異なる部分のみを説明する。
【００５７】
ステップ２０８において、画像認識部１２は、値札情報とともに魚に付随する付随情報も取得してもよい。付随情報とは、魚の数、サイズ、重さ、産地などである。制御部６は、魚の種類、鮮度、脂肪含有率とともに、周辺価格情報を表示部３に表示させる（ステップ２１０）。このとき、表示部３は、周辺価格情報に基づくコメントをさらに表示してもよい。
【００５８】
図１３は周辺価格情報の表示例である。表示部３は、魚名、鮮度、脂肪含有率の他に現在位置の店頭価格、現在位置の店の名前、付随情報（重さ）、周辺価格情報を表示している。図１３では、表示部３は、周辺価格情報として周囲の店での平均価格を表示しているが、周囲の店毎の価格を表示してもよい。さらに、表示部３は、コメントとして周辺の店との差額を表示している。
【００５９】
次に、本携帯端末を含む食材情報提供システムについて説明する。本携帯端末を含む食材情報提供システムは図８で説明した食材情報提供システム４０１と同様である。本食材情報提供システムは、携帯端末３０４と、食材価格情報サーバ５０１と、を備える。
【００６０】
食材価格情報サーバ５０１の保管データは、魚の価格を店舗名、魚の種類、魚の鮮度及び脂肪含有率に分類されている。また、保管データは、魚に付随する付随情報でさらに分類されていてもよい。
【００６１】
携帯端末３０４は、店舗情報サーバ５０２が現在位置の情報から検索した店舗名を表示部３で表示できる。
【００６２】
食材価格情報サーバ５０１は、店舗情報サーバ５０２から通知された周辺の店舗名、並びに携帯端末３０４から受信した食材データに基づいて、保管データの中から周辺の店舗での対象魚の価格を検索する。そして、食材価格情報サーバ５０１は、食材データに含まれる価格情報と検索した周辺の店舗での価格とを比較し、当該魚がお買い得商品かどうかを判定し、判定した結果をコメントとして携帯端末３０４に返送する。携帯端末３０４は、このコメントを表示部３で表示できる。
【００６３】
以上の説明のように、携帯端末３０４は、魚や肉の鮮度を測定できる臭い測定部３４及び魚や肉の脂肪含有率を測定できる光センサ部１１を搭載しており、携帯端末の所有者が店頭先の魚や肉に携帯をかざすと、魚や肉の種類を認識すると同時に鮮度及び脂肪含有率の計測を開始し、測定した鮮度及び脂肪含有率から魚や肉の種類に対応したおいしさの度合いを携帯端末の所有者に通知することができる。
【００６４】
さらに、携帯端末３０４は、測定した魚や肉の鮮度及び脂肪含有率と魚や肉の価格を含む食材データを食材価格情報サーバ５０１及び店舗情報サーバ５０２に送信することで、店頭先の魚や肉の価格がお買い得な商品かどうかを判定結果を携帯端末の所有者に通知することができる。
【符号の説明】
【００６５】
１：無線部
２：アンテナ
３：表示部
４：操作部
５：メモリ部
６：制御部
７：スピーカ部
８：ＧＰＳ部
９：カメラ部
１１：光センサ部
１２：画像認識部
１３：値札認識部
３４：臭い測定部
７１：食材判定機能
７２：食材状態測定機能
７３：表示機能
７４：価格情報取得機能
７５：位置情報取得機能
７６：データ送信機能
７７：データ受信機能
９９：ネットワーク
３０１〜３０４：携帯端末
４０１：食材情報提供システム
５０１：食材価格情報サーバ
５０２：店舗情報サーバ
５１０：価格情報データ管理センター
【図１】
2011048591.tif 000003
【図２】
2011048591.tif 000004
【図３】
2011048591.tif 000005
【図４】
2011048591.tif 000006
【図５】
2011048591.tif 000007
【図６】
2011048591.tif 000008
【図７】
2011048591.tif 000009
【図８】
2011048591.tif 000010
【図９】
2011048591.tif 000011
【図１０】
2011048591.tif 000012
【図１１】
2011048591.tif 000013
【図１２】
2011048591.tif 000014
【図１３】
2011048591.tif 000015